(57)【特許請求の範囲】
【請求項１】
リップ溝形鋼からなる各部材を接合部材にリベット止めしてなるスチール製小屋組トラスであって、
前記トラスの各構成部材であるリップ溝形鋼の各両フランジが、当該リップ溝形鋼の側面開口が外側に向くようにして互いに前記接合部材により接合されて、外枠を形成してなることを特徴とするスチール製小屋組トラス。
【請求項２】
２枚のガセットプレートと板状中間部材とからなる、コの字形断面を有する接合部材により、トラスの各構成部材であるリップ溝形鋼の各フランジが、側面開口を拘束するようにして互いに接合されてなることを特徴とする請求項１記載のスチール製小屋組トラス。
【発明の詳細な説明】
【０００１】
【発明の属する技術分野】
本発明はスチール製小屋組トラスに関する。さらに詳しくは、リップ溝形鋼から各部材が構成されるスチール製小屋組トラスに関する。
【０００２】
【従来の技術】
近年、資源保護や耐久性向上のために、木材に代えて薄板からなる軽量の形鋼を構造材として用いた住宅（以下、スチールハウスという）が建設されるようになってきている。このようなスチールハウスの構造材に用いられる薄板軽量形鋼としてはリップ溝形鋼が代表的であり、いわゆる小屋組トラスの各構成部材にもリップ溝形鋼が用いられることが多い。
【０００３】
図７に従来のスチール製小屋組トラスの概略構成を示す。このトラスＴ２は下弦材１１１および各上弦材１１２、１１３から外枠Ｆ２が構成されるいわゆる山形トラスであり、この外枠ＦＲ２が３本の束材１１４、１１５、１１６および２本の斜材１１７、１１８により補強されてなるものである。
【０００４】
外枠ＦＲ２を構成する各弦材１１１、１１２、１１３はガセットプレート１２１、１２２、１２３により互いに接合される。
【０００５】
図８にガセットプレートによる各部材の接合態様を示す。
【０００６】
例えば、下弦材１１１と一方の上弦材１１２とは充分な接合強度を得るため、トラスＴ２の表裏両面からガセットプレート１２２ａ、１２２ｂにより接合される。すなわち、トラスは構造的な特性から応力が接合部に集中するため接合部に充分な強度を与えることが望ましいところ、ガセットプレートを片面のみから張り付けた場合、荷重の作用面とガセットプレートの接合面とが偏心の関係となり、ガセットプレートが容易に変形してしまう。
【０００７】
そこで、ガセットプレートをトラスの表裏両面から張り付けることによって荷重の作用面と荷重を受ける面とを一致させることができ、これにより接合部の強度を増大させることができる。
【０００８】
ところが、このようにガセットプレートをトラスの表裏両面から張り付ける場合、各リップ溝形鋼（１１１，１１２）の側方開口（１１１ａ，１１２ａ）が塞がれることになり、例えばリップ溝形鋼の内側にリベット工具を差し込んで外側からリベットを打ち込んで各部材をリベットでガセットプレートに固定する作業がやりにくくなるという問題がある。
【０００９】
【発明が解決しようとする課題】
本発明はかかる従来技術の課題に鑑みなされたものであって、施工性を向上させることができかつ充分な強度を保つことができるスチール製小屋組トラスを提供することを目的としている。
【００１０】
【課題を解決するための手段】
本発明のスチール製小屋組トラスは、リップ溝形鋼からなる各部材を接合部材にリベット止めしてなるスチール製小屋組トラスであって、前記トラスの各構成部材であるリップ溝形鋼の各両フランジが、当該リップ溝形鋼の側面開口が外側に向くようにして互いに前記接合部材により接合されて、外枠を形成してなることを特徴とする。
【００１１】
本発明のスチール製小屋組トラスにおいては、２枚のガセットプレートと板状中間部材とからなる、コの字形断面を有する接合部材により、トラスの各構成部材であるリップ溝形鋼の各フランジが、側面開口を拘束するようにして互いに接合されてなるのが好ましい。
【００１２】
【作用】
本発明は前記のごとく構成されているので、例えばリップ溝形鋼の内側にリベット工具を差し込んで外側からリベットを打ち込んで各部材を接合部材に固定する作業がやりやすくなる。また、本発明の好ましい形態によれば、溝形鋼の側方開口が拘束され、これによりねじれが抑制されて座屈強度が向上するため、トラスの充分な強度を保つことができる。
【００１３】
【発明の実施形態】
以下、添付図面を参照しながら本発明を実施形態に基づいて説明するが、本発明はかかる実施形態のみに限定されるものではない。
【００１４】
実施形態１
図１に、本発明の実施形態１に係るスチール製小屋組トラスの概略構成を示し、スチール製小屋組トラス（以下単に、トラスという）Ｔはリップ溝形鋼からなる下弦材１１、第１上弦材１２および第２上弦材１３の各端部が互いに接合され、２等辺三角形形状の外枠ＦＲを形成してなるいわゆる山形トラスとされる。各弦材１１、１２、１３はリップ溝形鋼の側面開口が外側に向くように第１、第２、第３の各接合部材３１、３２、３３により互いに接合される。
【００１５】
すなわち、下弦材１１の一方端部は第１上弦材１２の一方端部と第１接合部材３１を介して接合され、下弦材１１の他方端部は第２上弦材１３の一方端部と第２接合部材３２を介して接合され、第１上弦材１２の他方端部と第２上弦材１３の他方端部とは第３接合部材３３を介して接合され、これら互いに接合された各弦材１１，１２，１３により外枠ＦＲが形成される。
【００１６】
また、外枠ＦＲは第１、第２、第３の各束材１４、１５、１６および第１、第２の各斜材１７、１８により補強される。
【００１７】
すなわち、第１束材１４は、一方端部が第３接合部材３３を介して各上弦材１２，１３間の接合部位（以下、部位Ａという）に固定され、他方端部が第４接合部材３４を介して下弦材１１略中央部（以下、部位Ｂという）に固定される。第２束材１５は、一方端部が第５接合部材３５を介して第１上弦材１２略中央部（以下、部位Ｃという）に固定され、他方端部が第６接合部材３６を介して下弦材１１の部位Ｂと一方端部Ｄとの中間位置（以下、部位Ｅという）に固定される。
【００１８】
第３束材１６は、一方端部が第７接合部材３７を介して第２上弦材１３略中央部（以下、部位Ｆという）に固定され、他方端部が第８接合部材３８を介して下弦材１１の部位Ｂと他方端部Ｇとの中間位置（以下、部位Ｈという）に固定される。
【００１９】
また、第１斜材１７は一方端部が第５接合部材３５を介して第１上弦材の部位Ｃに固定され、他方端部が第４接合部材３４を介して下弦材１１の部位Ｂに固定される。第２斜材１８は一方端部が第７接合部材３７を介して第２上弦材の部位Ｆに固定され、他方端部が第８接合部材３８を介して下弦材１１の部位Ｈに固定される。
【００２０】
図２にリップ溝形鋼の形状を示す。リップ溝形鋼２０は、通常の溝形鋼の側方開口端両方に全長に亘って縁２１が設けられ、各縁２１の間に開口２２を有する形鋼である。リップ溝形鋼２０を構成する薄板鋼板の厚さは通常１．０ｍｍ〜１．６ｍｍ程度とされる。
【００２１】
図３に接合部材の詳細を板厚を省略して示す。各接合部材は基本的構造は略同一とされる。すなわち、例えば第１接合部材３１は、略平行に配される２枚のガセットプレート３１ａ，３１ｂと、中間部材３１ｃとからなるコの字形断面の部材からなる。各ガセットプレート３１ａ，３１ｂは板厚３．２ｍｍ程度の鋼板とされる。
【００２２】
このように、各ガセットプレート３１ａ，３１ｂの板厚はトラス１０の各構成部材１１〜１８のそれよりも大きいため、梁などの小屋組周辺部材との取合いで各ガセットプレート３１ａ，３１ｂに局部的な変形が発生するのを防止することができる。
【００２３】
図４に接合部材による各部材の接合の態様を示す。すなわち、下弦材１１と第１上弦材１２とは、それぞれの側面開口１１ａ，１２ａが外側に向くように、第１接合部材３１の２枚のガセットプレート３１ａ、３１ｂによりトラスＴの表裏両面から接合される。各部材のガセットプレートへの接合は例えばセルフピアシング式のリベット４１〜４４がリップ溝形鋼の内側にリベット工具を差し込んで外側から打ち込まれることによりなされる。
【００２４】
また、例えば第４接合部材３４は、図５に示すように、２枚のガセットプレート３４ａ，３４ｂと中間部材３４ｃとからなるコの字形断面の部材とされる。第４接合部材３４の各ガセットプレート３４ａ，３４ｂには下弦材１１が側面開口１１ａを拘束されるように複数のリベット５１，５２，５３，５４により固定される。
【００２５】
第４の接合部材３４には、第１束材１４，第１斜材１７および第２斜材１８もそれぞれの側方開口が拘束されるように複数のリベット５５，５６，５７，５８，５９，６０により各ガセットプレート３４ａ，３４ｂに固定される。
【００２６】
このように、実施形態１のトラスＴにおいては、各部材１１〜１８がリップ溝形鋼から構成され、外枠ＦＲを構成する各弦材１１〜１３がそれぞれの側方開口を外側に向けて各接合部材３１〜３３を介して接合されると共に、各部材１１〜１８は側方開口が拘束されるように各接合部材３１〜３８それぞれの２枚のガセットプレートに例えばセルフピアシング式のリベットにより固定されるので、リベット打ちの施工性を向上させることができるとともに、リップ溝形鋼のねじれが抑制され、これにより座屈強度を向上させることができる。
【００２７】
実施形態２
図６に本発明の実施形態２に係るスチール製小屋組トラスの概略構成を示す。このトラスＴ１は、下弦材７１および第１，第２、第３の上弦材７２，７３，７４の各端部が互いに接合されていわゆる富士形トラスの外枠ＦＲ１を構成するとともに、この外枠ＦＲ１が複数の補強材７５〜８７により補強されてなるものである。トラスＴ１の各部材７１〜８７もリップ溝形鋼により構成されるとともに各接合部材８８〜１０３を介して接合される。各接合部材８８〜１０３は全て実施形態１と同様に２枚のガセットプレートと中間部材とから構成される。
【００２８】
また、外枠ＦＲ１を構成する各弦材７１〜７４はそれぞれの側方開口を外側に向けて互いに接合されるとともに、全ての部材７１〜８７はそれぞれの側方開口が拘束されるように各接合部材８８〜１０３の２枚のガセットプレートに例えばセルフピアシング式のリベットにより固定される。
【００２９】
この構成により、実施形態２のトラスＴ１においても、施工性の向上および充分な強度の保持を図ることができる。
【００３０】
【発明の効果】
以上詳述したように、本発明のスチール製小屋組トラスによれば、リップ溝形鋼からなる各部材がそれぞれの側面開口を外側に向けて互いに接合され、外枠を形成してなるので、例えばセルフピアシング式のリベットをリップ溝形鋼内側にリベット工具を差し込んで外側から打ち込んで接合する作業がやりやすくなるという優れた効果を奏する。
【００３１】
また、本発明の好ましい形態においては、２枚のガセットプレートと板状中間部材とからなる、コの字形断面を有する接合部材により、リップ溝形鋼からなるトラスの各構成部材が側面開口を拘束されるように互いに接合されるので、ねじれが抑制されて座屈強度を向上させることができるという優れた効果を奏する。またこれにより、トラスの強度を充分な強度に保つことができるという効果も奏する。
【図面の簡単な説明】
【図１】本発明の実施形態１に係るスチール製小屋組トラスの概略構成を示す模式図である。
【図２】トラス構成部材として用いられるリップ溝形鋼の形状を示す模式図である。
【図３】接合部材の一例を示す３面図であって、同（ａ）は正面図、同（ｂ）は側面図、同（ｃ）は底面図をそれぞれ示す。
【図４】接合部材による接合態様を示す模式図である。
【図５】接合部材による他の接合態様を示す模式図であって、同（ａ）は正面図、同（ｂ）は側面図、同（ｃ）は底面図をそれぞれ示す。
【図６】本発明の実施形態２に係るスチール製小屋組トラスの概略構成を示す模式図である。
【図７】従来のスチール製小屋組トラスの概略構成を示す模式図である。
【図８】同トラスにおける各部材の接合態様を示す模式図である。
【符号の説明】
１１                      下弦材
１２、１３                上弦材
１４、１５，１６          束材
１７，１８                斜材
３１〜３８、８８〜１０３  接合部材
７１〜７４                弦材
７５〜８７                補強材
ＦＲ                      外枠
Ｔ                        トラス
【図１】
0003940811.tif 000002
【図２】
0003940811.tif 000003
【図３】
0003940811.tif 000004
【図４】
0003940811.tif 000005
【図５】
0003940811.tif 000006
【図６】
0003940811.tif 000007
【図７】
0003940811.tif 000008
【図８】
0003940811.tif 000009